(57)【要約】【課題】持ち歩きに便利で、かつ、簡便に地図の実際の距離を知ることができる縮尺物差しおよびそれを備えた地図媒体を提供する。【解決手段】縮尺目盛り１１Ａが記載された目盛表示部１１と、この目盛表示部１１から突出して設けられた把持部１２とを有している。目盛表示部１１と把持部１２とは、例えば、目盛表示部１１をＴ字の水平部分、把持部１２をＴ字の垂直部分として、互いにＴ字状に接合されている。目盛表示部１１の両面には、面ごとに異なる縮尺の縮尺目盛り１１Ａおよび縮尺比率１１Ｂが記載されていることが好ましい。【選択図】図１
0003142873.tif 000002
【実用新案登録請求の範囲】
【請求項１】
縮尺目盛りが記載された目盛表示部と、
この目盛表示部から突出して設けられた把持部と
を備えたことを特徴とする縮尺物差し。
【請求項２】
前記目盛表示部と前記把持部とは、前記目盛表示部をＴ字の水平部分、前記把持部をＴ字の垂直部分として、Ｔ字状に接合されている
ことを特徴とする請求項１記載の縮尺物差し。
【請求項３】
前記目盛表示部は、縮尺の異なる縮尺目盛りが異なる面にそれぞれ記載されている
ことを特徴とする請求項１または請求項２記載の縮尺物差し。
【請求項４】
前記目盛表示部は、折り畳むことにより複数枚重ねに構成されている
ことを特徴とする請求項１から請求項３のいずれか１に記載の縮尺物差し。
【請求項５】
前記把持部には、一部が切り込みにより切り離されまたは切り離し可能とされた挟み込み部が形成された
ことを特徴とする請求項１から請求項４のいずれか１に記載の縮尺物差し。
【請求項６】
地図が記載された表示媒体を有する地図媒体であって、
縮尺目盛りが付された目盛表示部に把持部が突出して設けられた縮尺物差しを備えた
ことを特徴とする地図媒体。
【請求項７】
前記縮尺物差しは、前記表示媒体の一部、または、前記表示媒体に付属された付属媒体の一部に、切り取り可能に設けられた
ことを特徴とする地図媒体。
【考案の詳細な説明】
【技術分野】
【０００１】
本考案は、地図に用いる縮尺物差しおよびそれを備えた地図媒体に関する。
【背景技術】
【０００２】
地図は、一定の地域の様子を縮小して平面に表したものである。このような地図では、一般に、地図が記載された地図領域の内側あるいは外側に、縮尺目盛りが記載されている。これにより、例えば、出発点から目的地までを定規で測り、縮尺目盛りを基にその長さ換算すれば、地図上の実際の距離を知ることができる。しかし、従来の地図では、定規を用いて長さを計った後、縮尺目盛りに合わせて換算しなければならず、面倒であるという問題があった。
【０００３】
そこで、例えば、特許文献１には、縮尺の異なる複数の縮尺目盛りを３０ｃｍごとに変えて順番に設けた縮尺目盛付巻尺が提案されている。この縮尺目盛付巻尺によれば、縮尺目盛りを地図に直接当てて見ることができるので、縮尺に合わせて長さを換算しなくても、実際の距離を知ることができる。
【特許文献１】実開平５-６４７０２号公報
【考案の開示】
【考案が解決しようとする課題】
【０００４】
しかしながら、特許文献１に記載の縮尺目盛付巻尺では、縮尺の異なる縮尺目盛りを順番に設けているので、地図に合った縮尺目盛りをいちいち引き出して見なければならず、面倒であるという問題があった。また、地図に合った縮尺目盛りが奥の方にある場合には、引き出している部分が長くなってしまい、地図に当てて見にくいという問題や、場合によっては、両手を使わなければ見ることが難しく、簡便さに欠けるという問題があった。更に、地図を携帯して持ち歩く場合には、地図と共にこの巻尺も持っていかなければならず、嵩張るという問題もあった。
【０００５】
本考案は、このような問題に基づきなされたものであり、持ち歩きに便利で、かつ、簡便に地図の実際の距離を知ることができる縮尺物差しおよびそれを備えた地図媒体を提供することを目的とする。
【課題を解決するための手段】
【０００６】
本考案の縮尺物差しは、縮尺目盛りが記載された目盛表示部と、この目盛表示部から突出して設けられた把持部とを備えたものである。
【０００７】
本考案の地図媒体は、地図が記載された表示媒体を有するものであって、縮尺目盛りが付された目盛表示部に把持部が突出して設けられた縮尺物差しを備えたものである。
【考案の効果】
【０００８】
本考案の縮尺物差しおよび地図媒体によれば、目盛表示部に把持部を突出して設けるようにしたので、片手で把持部を持って、目盛表示部を地図に当てて簡単に見ることができる。よって、簡便に地図の実際の距離を知ることができる。また、縮尺物差しを表示媒体に挟むなどして簡単に持ち歩くこともできる。
【０００９】
特に、目盛表示部をＴ字の水平部分、把持部をＴ字の垂直部分として、目盛表示部と把持部とをＴ字状に接合するようにすれば、より簡単に片手で持って当てて見ることができる。
【００１０】
また、目盛表示部の異なる面に、縮尺の異なる縮尺目盛りをそれぞれ記載するようにすれば、縮尺の異なる地図についても１つの縮尺物差しで簡単に片手で見ることができる。
【００１１】
更に、折り畳むことにより目盛表示部を複数枚重ねに構成するようにすれば、強度を向上させることができ、より見やすくすることができる。また、折り畳んだ複数の面にそれぞれ縮尺の異なる縮尺目盛りを記載すれば、折り畳み方を変えることにより、より多くの縮尺目盛りを簡単に使用することができる。
【００１２】
加えて、把持部に、一部が切り込みにより切り離されまたは切り離し可能とされた挟み込み部を形成するようにすれば、挟み込み部で表示媒体などを挟み込むことにより、持ち歩く際に、縮尺物差しが紛失することを防止することができると共に、栞としても利用することができる。
【００１３】
更にまた、縮尺物差しを、表示媒体の一部、または、表示媒体に付属された付属媒体の一部に、切り取り可能に設けるようにすれば、地図に合った縮尺物差しを簡単に使用することができる。
【考案を実施するための最良の形態】
【００１４】
以下、本考案の実施の形態について、図面を参照して詳細に説明する。
【００１５】
（第１の実施の形態）
図１は、本考案の第１の実施の形態に係る縮尺物差し１０の構成を表すものである。この縮尺物差し１０は、例えば、地図上の実際の距離を測定する際に用いるものであり、縮尺目盛り１１Ａが記載された目盛表示部１１と、この目盛表示部１１から突出して設けられた把持部１２とを有している。これによりこの縮尺物差し１０では、片手で把持部１２を持ち、目盛表示部１１を地図に当てて簡単に実際の距離を知ることができるようになっている。縮尺物差し１０は、例えば、平板状であり、紙あるいはプラスチックなどにより構成されている。
【００１６】
目盛表示部１１および把持部１２は、例えば、一方よりも他方の方が長く伸長された帯状にそれぞれ形成されており、目盛表示部１１をＴ字の水平部分、把持部１２をＴ字の垂直部分として、互いにＴ字状に接合されていることが好ましい。より簡単に片手で持って地図に当てて見ることができるからである。なお、図１では、目盛表示部１１および把持部１２を矩形状としたが、角が丸められていたり、曲線状に湾曲されていたり、装飾の形状が施されていても良い。
【００１７】
目盛表示部１１には、例えば、把持部１２と反対側の辺に沿って、縮尺目盛り１１Ａが記載されており、縮尺目盛り１１Ａの近傍には、その縮尺比率１１Ｂが記載されている。縮尺目盛り１１Ａおよび縮尺比率１１Ｂは、目盛表示部１１の片面にのみ記載されていても良いが、両面に記載されていても良い。両面に記載する場合には、両面に同一の縮尺目盛り１１Ａおよび縮尺比率１１Ｂを記載するようにしても良いが、面ごとに異なる縮尺の縮尺目盛り１１Ａおよび縮尺比率１１Ｂを記載することが好ましい。１つの縮尺物差し１０で縮尺の異なる地図に対応することができるからである。
【００１８】
把持部１２は、例えば、一端部が目盛表示部１１に接合された把持部本体１２Ａと、把持部本体１２Ａから一部が切込みにより切り離された挟み込み部１２Ｂとを有していることが好ましい。例えば、図２に示したように、挟み込み部１２Ｂで地図が記載された表示媒体２０などを挟み込むことにより、持ち歩く際に、縮尺物差し１０が紛失することを防止することができると共に、栞としても利用することができるからである。なお、図２（Ａ）は挟み込み部１２Ｂにより表示媒体２０を挟んだ状態を一面側から見た構成を表しており、図２（Ｂ）は反対側から見た構成を表している。挟み込み部１２Ｂは、例えば、目盛表示部１１の側から反対側に向かって切込みが入れられており、目盛表示部１１の反対側において把持部本体１２Ａと接続されていることが好ましい。表示媒体２０などに挟んで持ちやすいからである。また、挟み込み部１２Ｂは、予め一部が切り込みにより切り離されていても良いが、例えば、ミシン目孔などにより断続的に切込みが入れられており、必要に応じて切り離すことができるように構成されていてもよい。
【００１９】
この縮尺物差し１０は、例えば、地図が記載された表示媒体２０に付属されており、表示媒体２０を有する地図媒体の一部を構成していても良い。例えば、縮尺物差し１０がそのまま表示媒体２０に添付されていても良く、また、表示媒体２０に付属された図示しない付属媒体の一部に縮尺物差し１０が切り取り可能に設けられていても良い。付属媒体は、例えば、表示媒体２０に挟み込まれていても良く、表示媒体２０と綴じあわされていても良く、また、表示媒体２０と切り取り可能に接続されていてもよい。
【００２０】
このように、本実施の形態によれば、目盛表示部１１に把持部１２を突出して設けるようにしたので、片手で把持部１２を持って、目盛表示部１１を地図に当てて簡単に見ることができる。よって、簡便に地図の実際の距離を知ることができる。また、縮尺物差し１０を表示媒体２０に挟むなどして簡単に持ち歩くこともできる。
【００２１】
特に、目盛表示部１１をＴ字の水平部分、把持部１２をＴ字の垂直部分として、目盛表示部１１と把持部１２とをＴ字状に接合するようにすれば、より簡単に片手で持って当てて見ることができる。
【００２２】
また、目盛表示部１１の異なる面に、縮尺の異なる縮尺目盛り１１Ａをそれぞれ記載するようにすれば、縮尺の異なる地図についても１つの縮尺物差し１０で簡単に片手で見ることができる。
【００２３】
更に、把持部１２に、一部が切り込みにより切り離されまたは切り離し可能な挟み込み部１２Ｂを形成するようにすれば、挟み込み部１２Ｂで表示媒体２０などを挟み込むことにより、持ち歩く際に、縮尺物差しが紛失することを防止することができると共に、栞としても利用することができる。
【００２４】
加えて、縮尺物差し１０を、表示媒体２０に添付するようにすれば、または、表示媒体２０に付属された付属媒体の一部に切り取り可能に設けるようにすれば、地図に合った縮尺物差し１０を簡単に使用することができる。
【００２５】
（第２の実施の形態）
図３および図４は、本考案の第２の実施の形態に係る縮尺物差し３０，４０の構成を表すものである。この縮尺物差し３０，４０は、折り畳むことにより目盛表示部１１および把持部１２を複数枚重ねに構成したことを除き、他は第１の実施の形態に係る縮尺物差し１０と同一の構成を有している。よって、同一の構成要素については同一の符号を付し、その詳細な説明を省略する。
【００２６】
図３に示した縮尺物差し３０は、例えば（Ａ）に示したように、図１に示した縮尺物差し１０を２つ結合したものであり、目盛表示部１１の長手方向の端部において接続されている。この縮尺物差し３０は、例えば（Ｂ）に示したように、目盛表示部１１の接続部３３において折り畳むことにより、目盛表示部１１および把持部１２をそれぞれ２枚重ねにして用いられる。複数枚重ねとすることにより、強度を向上させることができ、より見やすくすることができるからである。また、目盛表示部１１の各面にそれぞれ縮尺の異なる縮尺目盛り１１Ａを記載するようにすれば、折り畳み方を変えることにより、この縮尺物差し３０であれば、４種類の縮尺目盛り１１Ａを使用することができるからである。接続部３３には、折り畳み箇所を示すための折線を記載するようにしても良く、折り易くするためにミシン目孔などにより断続的に切込みを入れても良い。また、予め折り畳んだ状態とし、折り山を付けておいても良い。
【００２７】
目盛表示部１１の接続部３３と反対側の端部１１Ｃには、接続部３３において折り畳んだときに、各端部１１Ｃを組み合わせて係止するための切り込み３４がそれぞれ形成されていることが好ましい。簡単に取り外しができ、折り畳み方向を簡単に変えることができるからである。切り込み３４は、例えば、一方の目盛表示部１１の端部１１Ｃでは縮尺目盛１１Ａが記載されている側に設けられ、他方の目盛表示部１１の端部１１Ｃでは縮尺目盛１１Ａが記載されている側の反対側に設けられていることが好ましい。また、切り込み３４は、予め切り込まれていても良く、また、ミシン目孔などにより断続的に切込みを入れておき、使用の際に切り離すようにしても良い。
【００２８】
図４に示した縮尺物差し４０は、例えば、図１に示した縮尺物差し１０を３つ結合したことを除き、図３に示した縮尺物差し３０と同様の構成を有している。この縮尺物差し４０は、例えば、目盛表示部１１の接続部３３において折り畳むことにより、目盛表示部１１および把持部１２をそれぞれ３枚重ねにして用いられる。この場合、目盛表示部１１の各面にそれぞれ縮尺の異なる縮尺目盛り１１Ａを記載するようにすれば、折り畳み方を変えることにより、６種類の縮尺目盛り１１Ａを使用することが可能となる。なお、切り込み３４は、例えば、折り畳んだときに互いに組み合わせることができるように、各目盛表示部１１の一方の端部にそれぞれ形成されている。
【００２９】
このように、本実施の形態によれば、折り畳むことにより複数枚重ねに構成するようにすれば、強度を向上させることができると共に、目盛表示部１１の各面にそれぞれ縮尺の異なる縮尺目盛り１１Ａを記載するようにすれば、折り畳み方を変えることにより、より多くの縮尺目盛り１１Ａを簡単に使用することができる。
【００３０】
（第３の実施の形態）
図５は、本考案の第３の実施の形態に係る縮尺物差し５０の構成を表すものである。この縮尺物差し５０は、例えば（Ａ）に示したように、地図が記載された表示媒体２０の一部に切り取り可能に設けられている。また、例えば（Ｂ）に示したように、折り畳むことにより目盛表示部１１が複数枚重ねとなるように構成されている。他は第１または第２の実施の形態と同一の構成を有している。よって、同一の構成要素については同一の符号を付し、その詳細な説明を省略する。
【００３１】
この縮尺物差し５０は、表示媒体２０から切り取り、接続部３３において折り畳んで使用する。切り込み３４は、目盛表示部１１を折り畳んだときに互いに組み合わせることができるように、例えば、目盛表示部１１の中心部にそれぞれ形成されている。このように構成しても、上記実施の形態と同様の効果を得ることができる。
【００３２】
以上、実施の形態を挙げて本考案を説明したが、本考案は上記実施の形態に限定されるものではなく、種々変形可能である。例えば、上記実施の形態では、複数の縮尺物差し１０を目盛表示部１１において接合する場合について説明したが、把持部１２において接合し、折り畳むことにより目盛表示部１１および把持部１２を複数枚重ねに構成するようにしてもよい。
【図面の簡単な説明】
【００３３】
【図１】本考案の第１の実施の形態に係る縮尺物差しの構成図である。
【図２】図１に示した縮尺物差しの使用状態を表す説明図である。
【図３】本考案の第２の実施の形態に係る縮尺物差しの構成図である。
【図４】本考案の第２の実施の形態に係る他の縮尺物差しの構成図である。
【図５】本考案の第３の実施の形態に係る縮尺物差しの構成図である。
【符号の説明】
【００３４】
１０，３０，４０，５０…縮尺物差し、１１…目盛表示部、１１Ａ…縮尺目盛り、１１Ｂ…縮尺比率、１１Ｃ…端部、１２…把持部、１２Ａ…把持部本体、１２Ｂ…挟み込み部、２０…表示媒体、３３…接続部、３４…切り込み
【図１】
0003142873.tif 000003
【図２】
0003142873.tif 000004
【図３】
0003142873.tif 000005
【図４】
0003142873.tif 000006
【図５】
0003142873.tif 000007
【手続補正書】
【提出日】平成20年4月16日(2008.4.16)
【手続補正１】
【補正対象書類名】実用新案登録請求の範囲
【補正対象項目名】請求項７
【補正方法】変更
【補正の内容】
【請求項７】
前記縮尺物差しは、前記表示媒体の一部、または、前記表示媒体に付属された付属媒体の一部に、切り取り可能に設けられた
ことを特徴とする請求項６記載の地図媒体。